(57)【要約】【課題】斬新な発光変化を表示可能な指針および表示装置を提供する。【解決手段】指針１００は、内部に進入した第１照明光を導光する第１導光部１０と、第１導光部１０に設けられ、第１照明光を視認側へと反射することで発光する第１発光領域１３ａとを有する。指針１００は、第１導光部１０の視認側に積層配置され、内部に進入した第２照明光を導光する第２導光部２０と、第２導光部に設けられて、第２照明光を視認側へと反射することで発光する第２発光領域２３ａと、を備える。第１発光領域１３ａおよび第２発光領域２３ａは、延伸方向において少なくとも一部で重なるように形成されている。且つ第１発光領域１３ａおよび第２発光領域２３ａは、各発光領域１３ａ、２３ａを奥行方向に重ね合わせた全体領域Ａ内において、第１照明光による発光輝度と第２照明光による発光輝度の比を位置によって異ならせるように形成されている。【選択図】図１０
2020016538.tif 000002
【特許請求の範囲】
【請求項１】
表示装置において表示面（３０ａ）を指示する指針であって、
内部に進入した第１照明光を導光する第１導光部（１０）と、
前記第１導光部に設けられ、前記第１照明光を視認側へと反射することで発光する第１発光領域（１３ａ）と、
前記第１導光部の前記視認側に積層配置され、内部に進入した第２照明光を導光する第２導光部（２０）と、
前記第２導光部に設けられて、前記第２照明光を前記視認側へと反射することで発光する第２発光領域（２３ａ）と、
を備え、
前記第１発光領域および前記第２発光領域は、延伸方向において少なくとも一部で重なるように形成され、且つ前記第１発光領域および前記第２発光領域を奥行方向に重ね合わせた全体領域（Ａ）を構成しており、
前記全体領域では、前記第１照明光による発光輝度と前記第２照明光による発光輝度の比が前記延伸方向の位置によって異なっている指針。
【請求項２】
前記第１発光領域および前記第２発光領域は互いに異なる色で発光する請求項１に記載の指針。
【請求項３】
前記第１発光領域および前記第２発光領域の少なくとも一方は、前記延伸方向に並ぶ複数の発光域部（２３ａ１）を有する請求項１または請求項２に記載の指針。
【請求項４】
前記第１発光領域および前記第２発光領域のうち、複数の前記発光域部を含む前記一方は、
前記延伸方向の先端に位置する前記発光域部ほど発光輝度が大きくなるように形成されている請求項３に記載の指針。
【請求項５】
複数の前記発光域部は、前記延伸方向の先端に向かうにつれて前記延伸方向の長さが大きくなるように形成されている請求項３または請求項４に記載の指針。
【請求項６】
請求項１から請求項５のいずれか１項に記載の指針と、
前記第１照明光を射出する第１光源（５２）と、
前記第２照明光を射出する第２光源（５３）と、
を備える表示装置。
【発明の詳細な説明】
【技術分野】
【０００１】
この明細書における開示は、指針および指針を備える表示装置に関する。
【背景技術】
【０００２】
特許文献１には、延伸方向に２つの発光領域が形成された指針を有する計器装置が開示されている。この指針は、第１出射面を有する第１導光部材と、第１出射面よりも回動軸から遠い位置に設けられた第２出射面を有する第２導光部材とを有する。計器装置には、第１導光部材に光を照射する第１発光素子と、第２導光部材に光を照射する第２発光素子とが設けられている。計器装置は、２つの発光素子の点灯をそれぞれ制御することで、２つの出射面のそれぞれの発光状態を変更し、指針の表示モードを切り替える。
【先行技術文献】
【特許文献】
【０００３】
【特許文献１】特開平１１‐２８１４０９号公報
【発明の概要】
【発明が解決しようとする課題】
【０００４】
特許文献１の技術では、第１導光部材を導光される光と第２導光部材を導光される光は、互いに重なり合うことなく異なる出射面から射出される。このため、斬新な発光変化を作り出すことができなかった。
【０００５】
開示される目的は、斬新な発光変化を表示可能な指針および表示装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された指針のひとつは、表示装置において表示面（３０ａ）を指示する指針であって、内部に進入した第１照明光を導光する第１導光部（１０）と、第１導光部に設けられ、第１照明光を視認側へと反射することで発光する第１発光領域（１３ａ）と、第１導光部の視認側に積層配置され、内部に進入した第２照明光を導光する第２導光部（２０）と、第２導光部に設けられて、第２照明光を視認側へと反射することで発光する第２発光領域（２３ａ）と、を備え、第１発光領域および第２発光領域は、延伸方向において少なくとも一部で重なるように形成され、且つ第１発光領域および第２発光領域を奥行方向に重ね合わせた全体領域（Ａ）を構成しており、全体領域では、第１照明光による発光輝度と第２照明光による発光輝度の比が延伸方向の位置によって異なっている。
【０００８】
開示された表示装置のひとつは、上述の指針と、第１照明光を射出する第１光源（５２）と、第２照明光を射出する第２光源（５３）と、を備える。
【０００９】
これらの開示によれば、指針は、第１発光領域と第２発光領域が少なくとも一部で重ね合わされた状態で発光する。加えて、第１発光領域と第２発光領域とを奥行方向に合わせた領域内において、第１照明光による発光輝度と第２照明光による発光輝度の比が位置によって異なる。したがって、第１照明光による発光と第２照明光による発光との重なりの状態が変化することによる発光変化を視認させることができる。以上により、光の重ね合わせを利用した斬新な発光変化を表示可能な指針および表示装置を提供することができる。
【図面の簡単な説明】
【００１０】
【図１】第１実施形態に係る指針および表示装置を示す平面図である。
【図２】図１のＩＩ‐ＩＩ線断面図である。
【図３】図２の指針付近の拡大図である。
【図４】指針を視認側から見た図である。
【図５】図４のＶ‐Ｖ線断面図である。
【図６】指針を反視認側から見た図である。
【図７】図４のＶＩＩ‐ＶＩＩ線断面図である。
【図８】第１導光部と第２導光部の分解斜視図である。
【図９】第１指示部および第２指示部における発光状態を示す図である。
【図１０】第１指示部および第２指示部を重ねた状態における指針の発光状態を示す図である。
【図１１】他の実施形態において第１指示部および第２指示部を重ねた状態における指針の発光状態を示す図である。
【発明を実施するための形態】
【００１１】
（第１実施形態）
第１実施形態の表示装置１について、図１〜図１０を参照しながら説明する。表示装置１は、車両のコンビネーションメータとして提供される。表示装置１は、車両の運転席の前方で、表示面３０ａを運転席に向けて取り付けられている。以下において表示面３０ａに垂直な方向を奥行方向とし、奥行方向における運転席側を視認側、視認側と反対側を反視認側と表記する。表示装置１は、運転席に着座した乗員に対して所定の情報を表示する表示機能を提供する。表示装置１は、表示機能の一例として、車両の速度情報を表示するスピードメータとしての機能を有する。
【００１２】
表示装置１は、基板５０、回転軸線Ｒａ周りに回転する指針１００、表示面３０ａを有する表示板３０、表示導光体４０およびこれらを収容する筐体７０を備えている。以下の説明において、回転軸線Ｒａを中心とした円周方向および径方向を、単に「周方向」および「径方向」と表記する。また、回転軸線Ｒａの延びる方向を単に「軸方向」と表記する。
【００１３】
筐体７０は、図２に示すようにガラス板７１、見返し板７２、アッパケース部７３およびロアケース部７４を備えて構成されている。ガラス板７１は、透光性の合成樹脂等により湾曲した板状に形成されている。ガラス板７１は、見返し板７２の視認側の開口を覆うように見返し板７２に対して取り付けられている。第１実施形態のガラス板７１は、例えば黒またはグレーに着色されて所定の透過率で光を透過させるスモークガラスとして提供される。
【００１４】
見返し板７２は、例えば合成樹脂等により形成され、表示面３０ａを全周取り囲む筒状に形成されている。見返し板７２は、例えば表示領域を挟んで下方側の部分が、上方側の部分よりもより視認側に張り出すように形成されている。見返し板７２は、表示板３０の外縁部分を視認側から抑え込み、アッパケース部７３に対して固定している。
【００１５】
アッパケース部７３は、例えば遮光性の合成樹脂等により形成されている。アッパケースは、見返し板７２とロアケース部７４との間で、収容された構成部品を取り囲んでいる。
【００１６】
ロアケース部７４は、例えばアッパケース部７３と同様に遮光性の合成樹脂等により形成されている。ロアケース部７４は、表示装置１の反視認側を覆う部材であり、基板５０等を反視認側から保持している。
【００１７】
基板５０は、樹脂やセラミックスなどの絶縁材料により平板状に形成された絶縁基材に、銅などの導電性材料による配線パターンを設けたプリント配線基板である。基板５０は、一面を視認側に向け、他面を反視認側に向ける姿勢で表示導光体４０の反視認側に配置されている。基板５０には、ステッパモータ５１、軸部光源５２、複数の表示光源５３等が実装されている。加えて基板５０には、光源５２、５３の点灯、消灯等の照明制御や、ステッパモータ５１の回動制御を実行するための制御回路が実装されている。
【００１８】
ステッパモータ５１は、指針１００を回動させる駆動部材である。ステッパモータ５１は、基板５０の視認側の面上に設けられ、指針１００の軸部１１と連結されている。ステッパモータ５１は、制御回路と電気的に接続され、制御回路によってその駆動を制御される。ステッパモータ５１は、軸部１１を回転駆動することで、指針１００全体を回転軸線Ｒａ周りに回動させる。
【００１９】
軸部光源５２、複数の表示光源５３は、それぞれＬＥＤ（発光ダイオード）によって提供される。光源５２、５３は、それぞれ基板５０の視認側の面上に設けられている。光源５２、５３は、それぞれ制御回路と電気的に接続されており、制御回路によってその点灯および消灯を制御される。
【００２０】
軸部光源５２は、基板５０の表面において回転軸線Ｒａ上に設けられている。軸部光源５２は、後述の第１発光領域１３ａを発光させる照明光を射出する。軸部光源５２の射出する照明光の色は赤色である。軸部光源５２は第１光源の一例であり、軸部光源５２から射出される赤色の照明光は第１照明光の一例である。
【００２１】
複数の表示光源５３は、径方向においてステッパモータ５１より外周側で、それぞれ対応する表示導入部４１の反視認側の端部と対向する位置に設けられている。複数の表示光源５３は、後述の第２発光領域２３ａを発光させる照明光を射出する。複数の表示光源５３の射出する照明光の色は白色である。複数の表示光源５３は第２光源の一例であり、表示光源５３から射出される白色の照明光は第２照明光の一例である。
【００２２】
表示板３０は、例えば合成樹脂材料等からなる透光性の基材を成形することで形成されている。表示板３０は、全体として略平板状に形成されている。表示板３０には、指針１００の軸部１１が挿通される開口部３０ｂが形成されている。表示板３０には、指標部３１が形成されている。
【００２３】
指標部３１は、透光性の塗料を用いた印刷等により形成されている。指標部３１は、指針１００の軸部１１周りに円弧状に配列されるように形成されている。指標部３１は、例えば所定の間隔で設けられた目盛指標と、目盛指標の内周側で対応する目盛指標が示す速度値を数字で表す数字指標とを含む。
【００２４】
表示導光体４０は、透光性の合成樹脂等により一体物として形成されている。表示導光体４０は、表示導入部４１、導光板部４２および射出端部４３を有する。表示導光体４０は、表示板３０と基板５０との間に設けられている。
【００２５】
表示導入部４１は、導光板部４２の外周端部から反視認側に延びる柱状に形成されている。表示導入部４１は、表示光源５３と同数形成されている。複数の表示導入部４１の端部は、それぞれ対応する表示光源５３に近接している。表示導入部４１は、表示光源５３から射出された照明光を導光板部４２へと導く。
【００２６】
導光板部４２は、円環平板形状に形成された部分である。導光板部４２は、軸部１１を中心に取り囲むように設けられている。導光板部４２は、表示板３０の反視認側の面に沿って広がるように設けられている。導光板部４２は、表示板３０における指標部３１が形成された領域を反視認側から覆うように配置されている。導光板部４２は開口部３０ｂから視認側に露出している。導光板部４２は、表示導入部４１から進入した照明光を射出端部４３側へと導光しつつ、一部を視認側の面から射出して指標部３１を発光させる。
【００２７】
射出端部４３は、導光板部４２における指針１００の軸部１１側の端部である。すなわち射出端部４３は導光板部４２の内周縁部分である。射出端部４３は、表示板３０の開口部３０ｂよりも径方向で軸部１１に近接するように形成されている。射出端部４３には、導光板部４２の内部を導光した照明光を、視認側へと反射する反射面が形成されている。射出端部４３は、反射面にて照明光を視認側へと反射させ、第２導光部２０の入射端部２１へと射出する。
【００２８】
指針１００は、回転軸線Ｒａ周りに回転して表示板３０上を指示する。指針１００は、第１導光部１０と、第１導光部１０に積層配置された第２導光部２０と、指針キャップ１９とを有している。
【００２９】
第１導光部１０は、透光性を有する材料によって一体に形成されている。第１導光部１０は、軸部１１と、第１導光面１１ａと、中心部１２と、第１指示部１３と、第１発光領域１３ａとを有している。
【００３０】
軸部１１は、奥行方向に延びる略円柱形状に形成されている。軸部１１は、表示板３０を奥行方向に貫通する配置で設けられている。軸部１１の中心軸線は、指針１００の回転軸線Ｒａと略一致している。すなわち、軸部１１は指針１００の回転軸である。
【００３１】
第１導光面１１ａは、軸部１１の視認側の端部に形成された傾斜面である。第１導光面１１ａは、図５に示すように、反視認側から視認側に向かうにつれて第１指示部１３に接近するように、軸方向に対して傾斜している。第１導光面１１ａは、軸部１１に進入した照明光を、第１指示部１３に向けて反射する反射面を提供する。
【００３２】
中心部１２は、回転軸線Ｒａを中心とした略半円形状に形成された部分である。中心部１２は、軸部１１と連続している。中心部１２は、第１導光面１１ａから反射された照明光が第１指示部１３へと向かう際に通過する部分である。
【００３３】
第１指示部１３は、中心部１２から径方向外側に突出するように延伸した部分である。第１指示部１３は、延伸方向先端側に向かうにつれて幅寸法が徐々に小さくなる針状に形成されている。
【００３４】
第１発光領域１３ａは、第１指示部１３の底面に形成されている。第１発光領域１３ａは、第１導光部１０を導光する照明光を、視認側へと反射することで発光する領域である。より具体的には、第１発光領域１３ａは、底面の外表面から内側に向かって形成された微細な多数の断面三角柱状の凹部の集合体によって構成されており、第１指示部１３に導光された照明光をその凹部の斜面にて視認側へ反射するものである。この凹部の集合体は照明光が消灯されている場合には人の目に見えない程度の大きさに設定されている。
【００３５】
第１発光領域１３ａは、例えば第１指示部１３の延伸方向において根元から４分の３程度の範囲に形成されている。第１発光領域１３ａは、先端に向かうにつれて発光輝度が低下するように形成されている。具体的には、第１発光領域１３ａは、視認側へと反射する照明光の量を先端に向かうにつれて小さくするように、凹部の大きさや深さ、多数の凹部のピッチの粗密等を設定されている。すなわち、第１指示部１３は、根元が最大輝度で発光し、先端に向かうにつれて徐々に輝度が低下し、根元から４分の３程度で輝度がゼロになる。
【００３６】
第２導光部２０は、透光性を有する材料によって一体に形成されている。第２導光部２０は、入射端部２１と、回動中心部２２と、第２導光面２２ａと、第２指示部２３と、第２発光領域２３ａとを有している。
【００３７】
入射端部２１は、指示部１３、２３の延伸方向において、軸部１１を挟んで指示部１３、２３と反対側に設けられている。入射端部２１は、奥行方向で反視認側を向く面である。入射端部２１は、後述の表示導光体４０から射出された照明光が第２導光部２０の内部へと進入する際の入射面を提供する。
【００３８】
回動中心部２２は、奥行方向の投影視で円形状に形成されている。回動中心部２２は、その中心が軸部１１の軸心と略一致している。回動中心部２２の外周縁部には、第２導光面２２ａが形成されている。
【００３９】
第２導光面２２ａは、回動中心部２２において、奥行方向に軸部１１を投影した範囲よりも径方向で外側に形成された傾斜面である。第２導光面２２ａは、図４に示すように、反視認側から視認側に向かうにつれて回転軸線Ｒａに接近するように、軸方向および指示部１３、２３の延伸方向に対して傾斜している。第２導光面２２ａは、反視認側から回動中心部２２に入射した照明光を、第２指示部２３に向けて反射する反射面を提供する。
【００４０】
第２指示部２３は、第２導光部２０において回転中心から径方向外側に突出するように延伸した部分である。第２指示部２３は、第１指示部１３の反視認側に重なるように形成されている。すなわち、第１指示部１３と第２指示部２３とは奥行方向に並ぶ。第２指示部２３は、第１指示部１３と同様に、延伸方向先端側に向かうにつれて徐々に幅狭となる針状に形成されている。第２指示部２３と第１指示部１３は、延伸方向における同じ位置の幅寸法が略同一である。また第２指示部２３の先端位置は、第１指示部１３の先端位置と略同じとなるように設定されている。
【００４１】
第２発光領域２３ａは、第２指示部２３の底面に形成されている。第２発光領域２３ａは、第２導光部２０を導光する照明光を、視認側へと反射することで発光する領域である。より具体的には、第２発光領域２３ａは、第１発光領域１３ａと同様に、底面の外表面から内側に向かって形成された微細な多数の断面三角柱状の凹部の集合体によって構成されている。
【００４２】
第２発光領域２３ａは、第２指示部２３の底面において、延伸方向の全体にわたって離散的に設けられている。すなわち、第２発光領域２３ａは、１つ１つが延伸方向に離間して並ぶ複数の発光域部２３ａ１の集合である。第２発光領域２３ａは、延伸方向の先端に位置する発光域部２３ａ１ほど発光輝度が大きくなるように形成されている。具体的には、先端に位置する発光域部２３ａ１ほど、視認側へと反射する照明光の量を先端に向かうにつれて大きくするように、凹部の大きさや深さ等を設定されている。発光域部２３ａ１は、先端に位置するものほど第２指示部２３の延伸方向における長さが大きくなるように形成されている。第２発光領域２３ａは、延伸方向における先端付近を除く範囲で第１発光領域１３ａと奥行方向に重なり合う。
【００４３】
指針キャップ１９は、黒色に着色されたポリプロピレン樹脂やＡＢＳ樹脂などの遮光性の樹脂材料により形成されている。指針キャップ１９は、回動中心部２２、中心部１２および指示部１３、２３を覆う部材である。指針キャップ１９は、円筒壁部１９ａ、延伸壁部１９ｂを有している。円筒壁部１９ａは、反視認側に開口した有底の円筒形状に形成されている部分である。円筒壁部１９ａは、回動中心部２２および中心部１２を視認側から覆っている。延伸壁部１９ｂは、円筒壁部１９ａの側壁から径方向外側に延伸するように形成されている。延伸壁部１９ｂは、指示部１３、２３の側面を覆う側壁を提供する。
【００４４】
次に、軸部光源５２および表示光源５３から射出された各照明光の経路と、各照明光による指針１００の発光状態について説明する。
【００４５】
図３に示すように軸部光源５２から射出された赤色の照明光は、軸部１１内を全反射しながら視認側へと向かい、第１導光面１１ａにて反射されて第１指示部１３へと向かう。第１指示部１３を導光する照明光は、全体として第１指示部１３の先端側へと向かいつつ第１発光領域１３ａで視認側へと反射される。
【００４６】
軸部光源５２からの照明光によって、第１指示部１３は、図８、図９に示すように、根元が最大輝度で発光し、先端に向かうにつれて徐々に輝度が低下し、根元から４分の３程度で輝度がゼロになる。図８、図９および図１０では、赤色の発光をドットで示し、輝度の大きさをドットの大きさで表している。
【００４７】
表示光源５３から射出された白色の照明光は、導光板部４２内を導光され、射出端部４３から射出されて第２導光部２０の入射端部２１に進入する。進入した照明光は、第２導光面２２ａにて第２指示部２３の方向へと反射される。第２指示部２３を導光する照明光は、全体として第２指示部２３の先端側へと向かいつつ第２発光領域２３ａで視認側へと反射される。
【００４８】
表示光源５３からの照明光によって、第２指示部２３は、図８、図９に示すように、先端が最大輝度で発光し、根元に向かうにつれて徐々に輝度が低下し、根元に最も近い領域で輝度がほぼゼロになるような、横縞模様状に発光する。図８、図９および図１０では、白色の発光を斜線で示し、輝度の大きさを斜線の太さおよび密度の大きさで表している。
【００４９】
指示部１３、２３は、第１発光領域１３ａおよび第２発光領域２３ａを奥行方向に重ね合わせた全体領域Ａを構成している。指示部１３、２３は、第１発光領域１３ａにおける発光状態と第２発光領域２３ａにおける発光状態とが奥行方向に重ね合わさった発光状態として、視認側から視認される。このとき、第１発光領域１３ａの照明光と第２発光領域２３ａの照明光とが合わさって視認される、延伸方向に延びた全体領域Ａにおいて、白色の照明光による発光輝度と赤色の照明光による発光輝度の比は位置によって異なる。以下において、白色の照明光による発光輝度を白色発光輝度と表記し、赤色の照明光による発光輝度を赤色発光輝度と表記する。
【００５０】
すなわち、例えば全体領域Ａのうち第１発光領域１３ａと第２発光領域２３ａとが重なっている部分（重なり領域）に着目すると、指示部１３、２３の根元側では、赤色発光輝度が白色発光輝度よりも大きく、赤色発光輝度の白色発光輝度に対する比が比較的大きい。しかし指示部１３、２３の先端側に向かうにつれて、赤色発光輝度が低下するのに対して白色発光輝度が大きくなるので、赤色発光輝度の白色発光輝度に対する比が比較的小さくなる。
【００５１】
これにより、第１発光領域１３ａと第２発光領域２３ａとが重なっている部分は、指示部１３、２３の根元側から先端側へと向かうにつれて、白色の照明光と赤色の照明光との混ざり方が変化し、視認側から見たときの発光色が変化する。具体的には、発光色が赤色からピンク色、さらに白色へと徐々に変化するような横縞模様の発光変化が表示される。
【００５２】
また指示部１３、２３の先端付近では、第１発光領域１３ａの発光輝度が略ゼロであるため、最も先端ほど輝度が大きくなる白色の横縞模様の発光として視認される。加えて第２発光領域２３ａにおける１つ１つの発光域部２３ａ１の延伸方向の長さが、先端に向かうにつれて大きくなっているので、横縞模様状の白色の１つ１つの発光範囲が、延伸方向に向かうにつれて大きくなるように視認される。
【００５３】
また、例えば全体領域Ａのうち重なり領域と、第２発光領域２３ａ同士の間の第１発光領域１３ａのみの部分とに着目すると、重なり領域では、赤色発光輝度に対して白色の発光が所定の白色発光輝度で混合しているのに対して、第１発光領域１３ａのみの部分では、白色発光輝度が略ゼロとなる。すなわち、赤色発光輝度と白色発光輝度の比が１：０となる。すなわち、指示部１３、２３は、赤色と白色とが所定の比で混合した発光と、赤色のみの発光とが延伸方向に沿って交互に並ぶような発光変化を表示する。
【００５４】
次に第１実施形態の指針１００の構成および作用効果について説明する。
【００５５】
指針１００は、内部に進入した照明光を導光する第１導光部１０と、第１導光部１０に設けられ、軸部光源５２からの照明光を視認側へと反射することで発光する第１発光領域１３ａとを備える。指針１００は、第１導光部１０の視認側に設けられて、内部に進入した照明光を導光する第２導光部２０と、第２導光部２０に設けられて、表示光源５３からの照明光を視認側へと反射することで発光する第２発光領域２３ａとを備える。第１発光領域１３ａおよび第２発光領域２３ａは、奥行方向において少なくとも一部で重なるように形成されている。また第１発光領域１３ａおよび第２発光領域２３ａは、第１発光領域１３ａおよび第２発光領域２３ａを奥行方向に合わせた全体領域Ａを構成する。全体領域Ａでは、軸部光源５２からの照明光による発光輝度と表示光源５３からの照明光による発光輝度の比を位置によって異ならせるように形成されている。
【００５６】
これによれば、指針１００は、第１発光領域１３ａと第２発光領域２３ａが少なくとも一部で重ね合わされた状態で発光する。加えて、第１発光領域１３ａと第２発光領域２３ａとを奥行方向に合わせた領域内において、軸部光源５２からの照明光による発光輝度と表示光源５３からの照明光による発光輝度の比が位置によって異なる。したがって、各照明光による発光の重なりの状態が変化することによる発光変化を視認させることができる。以上により、光の重ね合わせを利用した斬新な発光変化を表示可能な指針１００を提供することができる。
【００５７】
第１発光領域１３ａおよび第２発光領域２３ａは互いに異なる色で発光する。これによれば、第１発光領域１３ａにおける発光と第２発光領域２３ａにおける発光との重なりの状態が変化することによる色の変化を表示することができる。したがって、指針１００はより斬新な発光変化を表示可能である。
【００５８】
第２発光領域２３ａは、延伸方向に並ぶ複数の発光域部２３ａ１を有する。これによれば、第１発光領域１３ａの発光表示に対して、第２発光領域２３ａにおける延伸方向に並ぶ複数の発光表示を重ね合わせることができる。これにより、指針１００はより斬新な発光変化を表示可能である。
【００５９】
複数の発光域部２３ａ１は、延伸方向の先端の発光域部２３ａ１ほど発光輝度が大きくなるように形成されている。これによれば、第２発光領域２３ａにおける延伸方向に並ぶ発光表示の輝度が、先端に向かうにつれて大きくなる。したがって、並ぶ発光表示において指針１００の先端部分ほど明るく視認され、指針１００の指示位置をより明瞭に示すことができる。
【００６０】
複数の発光域部２３ａ１は、延伸方向の先端に向かうにつれて延伸方向の長さが大きくなるように形成されている。これによれば、第２発光領域２３ａにおける延伸方向に並ぶ複数の発光表示の延伸方向の長さが、先端に向かうにつれて大きくなる。したがって、離散的に並ぶ発光表示において指針１００の先端部分ほど延伸方向に長く視認され、指針１００の指示位置をより明瞭に示すことができる。
【００６１】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味及び範囲内での全ての変更を含むものと解されるべきである。
【００６２】
上述の実施形態において、第１発光領域１３ａと第２発光領域２３ａは、それぞれ互いに異なる色の照明光を射出する別の光源５２、５３の照明光を受けることで、異なる色で発光するとした。これに代えて、射出された照明光の色を変更する色変更部を設けることにより、第１発光領域１３ａと第２発光領域２３ａの発光色を異ならせてもよい。色変更部は、例えば各導光部１０、２０や表示導光体４０等に着色層を設けることで提供することができる。
【００６３】
上述の実施形態以外にも、指針１００は、第１発光領域および第２発光領域の組合せにより、種々の発光変化を表示することができる。例えば、図１１に示す例では、第１発光領域１３ａと第２発光領域２３ａとを延伸方向の中央付近で重なるようにし、第２発光領域２３ａが重なった領域から第２指示部２３の先端まで形成され、第１発光領域１３ａが重なった領域から第１指示部１３の根元まで形成されている。この構成によれば、２つの発光領域が重なった領域では白色発光輝度と赤色発光輝度とが１：１程度の比となり、どちらか一方のみの発光領域が存在する領域では、発光輝度の比が１：０、または０：１となる。これにより、指針１００は、根元側では赤色、中央付近ではピンク色、先端側では白色の３色で発光する発光変化を表示できる。
【００６４】
上述の実施形態において、第１発光領域１３ａと第２発光領域２３ａとは異なる色で発光するとしたが、同じ色で発光する構成であってもよい。例えば第１実施形態の指針１００において、軸部光源５２と表示光源５３とを同じ光源色にすると、第１発光領域１３ａと第２発光領域２３ａとの重なり領域では、２つの発光領域の重なり合いにより、延伸方向に隣接する第２発光領域２３ａのみが存在する領域よりも輝度が大きくなる。視認側から見ると、指示部１３、２３の根元側では、延伸方向に連続的に発光し、先端側に向かうにつれて、徐々に横縞模様の発光に変化するような発光変化が視認される。以上のように第１発光領域１３ａと第２発光領域２３ａとを同じ光源色にした場合でも、指針１００は斬新な発光変化を表示可能である。
【符号の説明】
【００６５】
１  表示装置、  １００  指針、  １０  第１導光部、  １３ａ  第１発光領域、  ２０  第２導光部、  ２３ａ  第２発光領域、  ２３ａ１  複数の発光域部、  ３０ａ  表示面、  Ａ  全体領域、  ５２  軸部光源（第１光源）、  ５３  表示光源（第２光源）。
【図１】
2020016538.tif 000003
【図２】
2020016538.tif 000004
【図３】
2020016538.tif 000005
【図４】
2020016538.tif 000006
【図５】
2020016538.tif 000007
【図６】
2020016538.tif 000008
【図７】
2020016538.tif 000009
【図８】
2020016538.tif 000010
【図９】
2020016538.tif 000011
【図１０】
2020016538.tif 000012
【図１１】
2020016538.tif 000013